(57)【特許請求の範囲】
【請求項１】
複数の静止画画像を順次に読み込む読み込み部と、
前記読み込み部により読み込まれた前記複数の静止画画像が連写画像であるか否かを判断する判断部と、
前記静止画画像に前記複数の連写画像が含まれていると前記判断部により判断された場合に、前記複数の連続する連写画像の差分を測定する測定部と、
前記測定部により測定された前記連続する連写画像の差分が所定基準より大きい場合に、前記複数の連続する連写画像のうちから１または２以上の前記連写画像を選択する選択部と、
前記選択部により選択された連写画像を表示装置に表示させる表示制御部と、
を備え、
前記所定基準は、前記静止画画像の撮影モードに応じて設定される、表示制御装置。
【請求項２】
前記測定部は、前記複数の連写画像の色味情報を取得し、
第１の連写画像と前記第１の連写画像より前に読み込まれた第２の連写画像との色味情報との差分を測定し、
前記選択部は、前記測定部により測定された、前記第１の連写画像の色味情報と前記第２の連写画像の色味情報との差分が前記所定基準より大きい場合に前記第１の連写画像を選択する、請求項１に記載の表示制御装置。
【請求項３】
前記測定部により取得される色味情報は、前記複数の連写画像の輝度、色相、明度を含む、請求項１に記載の表示制御装置。
【請求項４】
前記表示制御部は、前記選択部により選択された連写画像を表示装置に順次表示させていく、請求項１に記載の表示制御装置。
【請求項５】
前記表示制御部は、前記選択部により選択された複数の連写画像を含む画像を表示装置に表示させる、請求項１に記載の表示制御装置。
【請求項６】
前記表示制御部は、前記選択部により選択された連写画像を、ユーザ操作に応じて表示装置に表示させていく、請求項１に記載の表示制御装置。
【請求項７】
前記選択部により判断される差分の所定基準は、ユーザ入力に応じて設定される、請求項５に記載の表示制御装置。
【請求項８】
前記測定部は、前記複数の連写画像を分割して分割された各画像の色味情報を取得する、請求項１に記載の表示制御装置。
【請求項９】
複数の静止画画像を順次に読み込むステップと、
前記読み込むステップにより読み込まれた前記複数の静止画画像が連写画像であるか否かを判断するステップと、
前記静止画画像に前記複数の連写画像が含まれていると前記判断するステップにより判断された場合に、前記複数の連続する連写画像の差分を測定するステップと、
前記測定するステップにより測定された前記連続する連写画像の差分が所定基準より大きい場合に、前記複数の連続する連写画像のうちから１または２以上の前記連写画像を選択するステップと、
前記選択するステップにより選択された連写画像を表示装置に表示させるステップと、
を含み、
前記所定基準は、前記静止画画像の撮影モードに応じて設定される、表示制御方法。
【請求項１０】
コンピュータを、
複数の静止画画像を順次に読み込む読み込み部と、
前記読み込み部により読み込まれた前記複数の静止画画像が連写画像であるか否かを判断する判断部と、
前記静止画画像に前記複数の連写画像が含まれていると前記判断部により判断された場合に、前記複数の連続する連写画像の差分を測定する測定部と、
前記測定部により測定された前記連続する連写画像の差分が所定基準より大きい場合に、前記複数の連続する連写画像のうちから１または２以上の前記連写画像を選択する選択部と、
前記選択部により選択された連写画像を表示装置に表示させる表示制御部と、
を備え、
前記所定基準は、前記静止画画像の撮影モードに応じて設定される、表示制御装置として機能させるための、プログラム。
【発明の詳細な説明】
【技術分野】
【０００１】
本発明は、表示制御装置、表示制御方法およびプログラムに関し、特に、連写画像のなかから変化のある画像のみを表示する表示制御装置、表示制御方法およびプログラムに関する。
【背景技術】
【０００２】
近年、デジタルカメラの機能の向上とともに、連続撮影性能も高まっており、１秒間に数十枚以上の撮影が可能となっている。デジタルカメラでは、スライドショー機能等で画像を連続的に再生させることができる。スライドショーにおいて、連写画像をすべて表示すると、あまり変化のない大量の画像を次々と表示することとなり、画像を見る楽しさが損なわれる。そこで、連写画像を撮影した際の撮影間隔に応じて表示時間を変更する技術が開示されている（例えば、特許文献１〜３）。
【０００３】
特許文献１においては、１秒間に１０コマの連続撮影をした場合には、１秒間で１０枚の静止画像を表示することにより、連写間隔に応じた間隔で画像ファイルを再生することができる。
【０００４】
【特許文献１】特開２００６−２２２５０３号公報
【特許文献２】特開２００５−１７６２４６号公報
【特許文献３】特開２００６−４１５８６号公報
【発明の開示】
【発明が解決しようとする課題】
【０００５】
しかし、１秒間で１０枚の静止画像を表示するためには、予め１０枚分の静止画を記録媒体から読み込み、圧縮された画像を展開しなければならない。また、記録媒体から読み込んだ画像を保存しておくためのメモリ容量と圧縮展開能力を要するという問題があった。また、１秒間に連写画像を再生するため、１つ１つの画像が表示される時間が短く、変化のない画像が次々と表示されるため、印象に残らないという問題があった。
【０００６】
そこで、本発明は、上記問題に鑑みてなされたものであり、本発明の目的とするところは、連写画像のうち変化のある画像のみを再生して画像閲覧効果を高めることが可能な、新規かつ改良された表示制御装置、表示制御方法およびプログラムを提供することにある。
【課題を解決するための手段】
【０００７】
上記課題を解決するために、本発明のある観点によれば、複数の静止画画像を順次に読み込む読み込み部と、読み込み部により読み込まれた複数の静止画画像が連写画像であるか否かを判断する判断部と、静止画画像に複数の連写画像が含まれていると判断部により判断された場合に、複数の連続する連写画像の差分を測定する測定部と、測定部により測定された連続する連写画像の差分に応じて、複数の連続する連写画像のうちから１または２以上の連写画像を選択する選択部と、選択部により選択された連写画像を表示装置に表示させる表示制御部と、を備える表示制御装置が提供される。
【０００８】
かかる構成によれば、順次に読み込んだ複数の静止画像が連写画像であるか否かを判断し、複数の連写画像が含まれていると判断した場合に複数の連続する連写画像の差分を測定する。そして、測定された連写画像の差分に応じて、複数の連続する連写画像から１又は２以上の連写画像を選択し、選択した連写画像を表示装置に表示する。
【０００９】
これにより、連写画像のうち変化のある画像のみを再生して画像閲覧効果を高めることができる。すなわち、選択された連写画像のみ表示装置に表示させることにより、似たような変化のない画像ばかりを表示することなく、ユーザが飽きることなくスライドショーを楽しんで閲覧することが可能となる。
【００１０】
また、上記測定部は、複数の連写画像の色味情報を取得し、第１の連写画像と第１の連写画像より前に読み込まれた第２の連写画像との色味情報との差分を測定し、選択部は、測定部により第１の連写画像の色味情報と第２の連写画像の色味情報との差分が所定基準より大きい場合に第１の連写画像を選択するようにしてもよい。また、測定部により取得される色味情報は、複数の連写画像の輝度、色相、明度を含んでもよい。
【００１１】
また、上記表示制御部は、選択部により選択された連写画像を表示装置に順次表示させていくようにしてもよい。また、表示制御部は、上記選択部により選択された複数の連写画像を含む画像を表示装置に表示させるようにしてもよい。表示制御部は、選択部により選択された連写画像を、ユーザ操作に応じて表示装置に表示させていくようにしてもよい。
【００１２】
また、上記選択部により判断される差分の所定基準は、ユーザ入力に応じて設定されるようにしてもよい。また、上記選択部により判断される差分の所定基準は、静止画画像の撮影モードに応じて設定されるようにしてもよい。
【００１３】
また、上記測定部は、複数の連写画像を分割して分割された各画像の色味情報を取得するようにしてもよい。
【００１４】
また、上記課題を解決するために、本発明の別の観点によれば、複数の静止画画像を順次に読み込むステップと、読み込み部により読み込まれた複数の静止画画像が連写画像であるか否かを判断するステップと、静止画画像に複数の連写画像が含まれていると判断部により判断された場合に、複数の連続する連写画像の差分を測定するステップと、測定部により測定された連続する連写画像の差分に応じて、複数の連続する連写画像のうちから１または２以上の連写画像を選択するステップと、選択部により選択された連写画像を表示装置に表示させるステップと、を含む、表示制御方法が提供される。
【００１５】
また、上記課題を解決するために、本発明の別の観点によれば、コンピュータを、複数の静止画画像を順次に読み込む読み込み部と、読み込み部により読み込まれた複数の静止画画像が連写画像であるか否かを判断する判断部と、静止画画像に複数の連写画像が含まれていると判断部により判断された場合に、複数の連続する連写画像の差分を測定する測定部と、測定部により測定された連続する連写画像の差分に応じて、複数の連続する連写画像のうちから１または２以上の連写画像を選択する選択部と、選択部により選択された連写画像を表示装置に表示させる表示制御部と、を備える表示制御装置として機能させるための、プログラムが提供される。
【発明の効果】
【００１６】
以上説明したように本発明によれば、連写画像のうち変化のある画像のみを再生して画像閲覧効果を高めることができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
まず、本発明の実施形態の目的について説明する。近年、デジタルカメラの機能の向上とともに、連続撮影性能も高まっており、１秒間に数十枚以上の撮影が可能となっている。デジタルカメラでは、スライドショー機能等で画像を連続的に再生させることができる。スライドショーにおいて、連写画像をすべて表示すると、あまり変化のない大量の画像を次々と表示することとなり、画像を見る楽しさが損なわれる。そこで、連写画像を撮影した際の撮影間隔に応じて表示時間を変更する技術が開示されている。
【００１９】
従来技術においては、１秒間に１０コマの連続撮影をした場合には、１秒間で１０枚の静止画像を表示することにより、連写間隔に応じた間隔で画像ファイルを再生することができる。しかし、１秒間で１０枚の静止画像を表示するためには、予め１０枚分の静止画を記録媒体から読み込み、圧縮された画像を展開しなければならない。また、記録媒体から読み込んだ画像を保存しておくためのメモリ容量と圧縮展開能力を要するという問題があった。また、１秒間に連写画像を再生するため、１つ１つの画像が表示される時間が短く、変化のない画像が次々と表示されるため、印象に残らないという問題があった。
【００２０】
そこで、上記のような事情を一着眼点として、本発明の実施形態にかかる表示制御装置１００が創作されるに至った。本実施形態にかかる表示制御装置１００によれば、連写画像のうち変化のある画像のみを再生して画像閲覧効果を高めることができる。
【００２１】
なお、本実施形態において、表示制御装置１００は、ディスプレイ等の表示装置やカメラ等の撮像装置とは別体の装置として構成したが、かかる例に限定されない。例えば、表示制御装置を表示装置と一体として構成したり、撮像装置と一体とてして構成したりするようにしてもよい。以下では、表示制御装置１００として、デジタルカメラ１を例示して説明する。なお、スライドショーとは、複数の画像を順番に表示させる機能であり、予め設定しておいた時間が経過すると自動的に次の画像が表示される方式と、キー入力により次の画像が表示される方式とがある。
【００２２】
次に、図１および図２に基づいて、本実施形態にかかる表示制御装置１００の一例であるデジタルカメラ１の構成について説明する。図１は、本実施形態にかかるデジタルカメラ１の外観である。図１に示したように、図１ａは、デジタルカメラ１の正面から見た斜視図である。図１ａに示したように、デジタルカメラ１は、例えば、電源ボタン５１、シャッターボタン５２、ズームボタンＴ５３、ズームボタンＷ５４、撮像レンズ５５、ＡＦ補助光５６、レンズカバー５７などを備える。また、図１ｂは、デジタルカメラ１を背面から見た斜視図である。図１ｂに示したように、デジタルカメラ１は、液晶ディスプレパネル（ＬＣＤ）１８を備える。
【００２３】
次に、図２に基づいて本実施形態にかかるデジタルカメラ１の構成について説明する。図２に示したように、デジタルカメラ１は、レンズ部１１、ＣＣＤ１２、アナログ信号処理部１３、Ａ／Ｄ変換部１４、デジタル信号処理部１５、液晶パネル１７、記録デバイス１９、アクチュエータ２０、モータドライブ２１、ＴＧ２２、ＣＰＵ２３、操作部２４、ＥＥＰＲＯＭ２５、プログラムＲＯＭ２６、ＲＡＭ２７などを備える。
【００２４】
デジタルカメラ１の主な機能について説明する。ＣＰＵ２３は、演算処理装置および制御装置として機能し、各種プログラムに従ってデジタルカメラ１内の動作全般を制御する。また、ＣＰＵ２３は、マイクロプロセッサであってもよい。プログラムＲＯＭ２６は、ＣＰＵ２３が使用する制御プログラムや演算パラメータ等を記憶している。
【００２５】
デジタルカメラ１の電源起動時に、プログラムＲＯＭ２６に格納されている制御プログラムがプログラムＲＯＭ２６からＲＡＭ２７へ展開された後、ＣＰＵ２３により実行される場合もある。ＣＰＵ２３はＲＡＭ２７上の制御プログラムを実行することで、デジタルカメラの動作を制御する。
【００２６】
デジタルカメラ１の操作は、タッチスクリーン１８の状態をＡ／Ｄ変換部１４によりデジタル化された後ＣＰＵ２３に伝達される。デジタルカメラ１により静止画像の撮影は、レンズ部１１を通過した光がＣＣＤ１２で電気信号に変換され、アナログ信号処理部１３により処理される。そして、Ａ／Ｄ変換部１４によりデジタル化された後、ＣＰＵ２３で画像処理され記録デバイス１９に保存される。
【００２７】
デジタルカメラ１には、静止画像の撮影をする際に、短い時間間隔で撮影を繰り返し、画像ファイルを生成する連写撮影機能が備えられている。撮影された静止画像は、メモリスティック等の記録デバイス１９に保存される。記録デバイス１９に保存された静止画像は、ＣＰＵ２３の指示によりＲＡＭ２７に展開された後、デジタル信号処理部１５で画像処理されてタッチスクリーン１８に表示される。
【００２８】
以上、デジタルカメラ１の構成について説明した。デジタルカメラ１は、撮影画像を連続的に表示するスライドショー機能が備えられている。従来は、スライドショー機能等で撮影画像を連続的に再生させた場合、撮影画像が連写画像、単写画像の区別なく表示されてしまい、同じような変化の乏しい画像を何枚も見る事となり連写の楽しみが発揮されないという問題があった。
【００２９】
そこで、本実施形態では、連写画像と単車画像が混在して記録されている記録デバイスからスライドショーなどで連続的に再生される場合に、連写画像の場合には、今再生されている画像と次に再生する画像の類似度を調べ、ある一定以上似ている画像である場合には当該画像をスキップする。具体的には、記録デバイス１９に記録された静止画像を連続的にタッチスクリーン１８に表示するスライドショー機能を備え、静止画像を連続的に再生表示するスライドショー機能において連写画像のうち変化のある画像のみの再生を実現する。
【００３０】
上記のような、連写画像のうち変化のある画像のみの再生を実現するための機能を、図３を参照して説明する。図３は、デジタルカメラ１のＣＰＵ２３の機能構成を詳細に示した機能構成図である。図３に示したように、本実施形態にかかるＣＰＵ２３は、読み込み部１０２、判断部１０４、測定部１０６、選択部１０８、表示制御部１１０などを備える。
【００３１】
読み込み部１０２は、記録デバイス１９に記録された複数の静止画画像を順次に読み込む機能を有する。読み込み部１０２により読み込まれた静止画画像は、判断部１０４に提供される。
【００３２】
判断部１０４は、読み込み部１０２により提供された静止画画像を連写画像であるか否かを判断する。当該静止画画像が連写画像であるか否かは、静止画画像の画像データに基づいて判断することができる。例えば、静止画画像の記録フォーマットが、ＥＸＩＦ等の標準的なデジタルカメラの記録フォーマットである場合には、画像についての情報や撮影日時などの付加情報や、縮小画像を画像データとして記録することができる。画像についての情報としては、解像度や色数、符号化方式などの情報を例示できる。また、シャッタースピードやズーム、フラッシュ、絞り、露出等、画像撮影時の撮影モードについての情報を画像データとして記録することもできる。
【００３３】
本実施形態においては、静止画画像が連写画像であるか否かについての情報が画像データとして記録されている。したがって、判断部１０４は、静止画画像の画像データに基づいて、当該画像が連写画像であるか否かを判断することができる。判断部１０４は、静止画画像が連写画像であるか否かについての判断結果を測定部１０６に提供する。
【００３４】
測定部１０６は、判断部１０４により静止画画像に複数の連写画像が含まれていると判断された場合に、複数の連続する連写画像の差分を測定する機能を有する。ここで、連写画像の差分を測定するとは、複数の画像が類似しているか否かを測定することである。具体的には、１つの連写画像と他の連写画像との色味情報を取得し、それぞれの色味情報の差分を測定する。色味情報とは、画像の輝度や色相、明度、彩度などの情報を例示できる。
【００３５】
例えば、上記したスライドショーの機能により画像を順次に表示させる場合には、１の画像の色味情報を取得し、次に表示させるべき画像の色味情報を取得して、色味情報の差分を測定する。測定部１０６により測定される情報は、色味情報に限定されない。例えば、人物の画像を連写した場合には、顔情報を検出して、当該顔情報の差分を測定するようにしてもよい。顔情報の差分とは、目つぶり検出等顔の表情等の変化の差分などである。また、人物の人数の変化を連写画像の差分として測定するようにしてもよい。例えば、人物が一人から二人以上に変化を連写画像の差分として測定するようにしてもよい。
【００３６】
ここで、図４を参照して、色味情報により連写画像の差分を測定する場合について説明する。図４は、連写画像の差分の測定について説明した説明図である。図４に示したように、画像３００と画像４００とは連写画像である。測定部１０６は、画像３００を４分割して、４分割した各画像の色相、明度、輝度等の色味情報を算出する。また、画像４００についても同様に、画像を４分割して、４分割した各画像の色相、明度、輝度等の色味情報を算出する。そして、４分割した画像３００と画像４００のそれぞれ対応する箇所の色相、明度、輝度を比較する。
【００３７】
測定部１０６は、４分割した画像３００と画像４００の色相、明度、輝度を比較して、当該比較結果から画像３００と画像４００との差分を測定する。例えば、４分割した画像の色情報と輝度情報とがほぼ同じ場合には、画像の差分は小さいと測定される。また、４分割した画像の色情報と輝度情報とが大きく異なる場合には、画像の差分は大きいと測定される。本実施形態では、連写画像を４分割して色味情報を算出したが、かかる例に限定されず、４分割以上に分割してもよいし、分割せずに色味情報を算出するようにしてもよい。図３に戻り、測定部１０６は、測定した結果を選択部１０８に提供する。
【００３８】
選択部１０８は、測定部１０６により測定された連続する連写画像の差分に応じて、複数の連続する連写画像のうちから１または２以上の連写画像を選択する機能を有する。例えば、上記したように、測定部１０６により色味情報の差分が測定された場合には、色味情報の差分が所定の基準値より大きい場合に連写画像を選択するようにしてもよい。ここで、差分の所定基準はユーザ入力に応じて設定されてもよい。
【００３９】
ここで、図５を参照して、差分の所定基準がユーザ入力に応じて設定される場合について説明する。図５は差分の所定基準を設定するためのユーザ入力ボタンを説明する説明図である。図５に示したように、デジタルカメラ１に差分の所定基準である類似度を設定する設定ボタンを備えてもよい。
【００４０】
図５に示したように、例えば、ユーザによる類似度設定入力により類似度が「切」になっていた場合には、連写画像の選択を行わずに、すべての連写画像を表示するようにしてもよい。また、ユーザによる類似度設定入力により類似度が「弱」になっていた場合には、差分の所定基準が低く設定されるため、変化の小さい連写画像を表示するようにしてもよい。また、ユーザによる類似度設定入力により類似度が「強」になっていた場合には、差分の所定基準が高く設定されるため、変化の大きい連写画像を表示するようにしてもよい。
【００４１】
また、差分の所定基準は静止画画像の撮影モードに応じて設定されるようにしてもよい。撮影モードとは、上記したように、シャッタースピードやズーム、フラッシュ、絞り、露出等を例示できる。例えば、シャッタースピードが速い場合には、所定時間に撮影される連写画像の枚数が数枚程度となる。この場合には、すべての連写画像を表示してもよいし、差分の所定基準を低く設定して、変化の小さい連写画像も表示するようにしてもよい。
【００４２】
また、選択部１０８は、連写画像の枚数に応じて選択する画像の枚数を決定するようにしてもよい。例えば、連写画像が５０枚の場合には、選択する画像の枚数を１０枚程度とし、連写画像が５枚の場合には、５枚すべての画像を選択するようにしてもよい。図３に戻り、選択部１０８により選択された連写画像が、表示制御部１１０に提供される。
【００４３】
表示制御部１１０は、選択部１０８により選択された連写画像を表示装置１７に表示させる機能を有する。例えばスライドショー機能により連写画像を表示装置１７に連続的に表示させる場合には、選択された連写画像を順次に表示する。このように、選択された連写画像のみ表示装置１７に表示させることにより、似たような変化のない画像ばかりを表示することなく、ユーザが飽きることなくスライドショーを楽しんで閲覧することが可能となる。
【００４４】
また、サムネイルやスクラップブック等複数の画像を表示させる場合にも、類似度の少ない変化のある画像を表示させることができるため、画像閲覧効果を高めることが可能となる。また、連写撮影により撮影された連写画像のすべてを表示する必要がないため、すべての画像を表示する場合に比べて省メモリでかつ高速に処理することが可能となる。以上、デジタルカメラ１のＣＰＵ２３の機能構成について詳細に説明した。
【００４５】
次に、図６を参照して、表示制御装置１００のスライドショーにおける表示制御方法について説明する。図６は、表示制御装置１００のスライドショーにおける表示制御方法を示すフローチャートである。上記したように、表示制御装置１００は、静止画像を連続的に表示装置１７に表示するスライドショー機能を備えている。
【００４６】
表示制御装置１００は、記録デバイス１９に静止画像が記録されているか否かを判断し、記録デバイス１９に静止画像が記録されていると判断した場合には、スライドショーを行う順番を決定し、スライドショーを開始する（Ｓ１０１）。そして、ステップＳ１０１において決定した順番で、１枚の静止画像を記録デバイス１９から読み出す（Ｓ１０２）。ステップＳ１０２において読み出された静止画像は内部メモリであるＲＡＭ２７に読み込まれる。そして、ステップＳ１０２において読み込まれた画像を表示装置１７に表示する（Ｓ１０３）。
【００４７】
そして、ステップＳ１０３において表示された画像が最後の画像であるか否かを判定する（Ｓ１０４）。ステップＳ１０４において、表示された画像が最後の画像ではないと判定された場合には、記録デバイス１９から次の画像を読み込み部１０２が読み出す（Ｓ１０５）。判断部１０４は、ステップＳ１０５において読み出された画像が連写画像であるか否かを判定する（Ｓ１０６）。
【００４８】
ステップＳ１０６において読み出された連写画像であると判定された場合には、画像を展開した後に当該画像を分割する（Ｓ１０７）。ステップＳ１０７における画像の展開とは、ＪＰＥＧ等の圧縮方式により圧縮されて記録デバイス１９に記録されている静止画像を写真に展開することを意味する。また、画像の分割とは、上記したように、画像を４分割等に分割することを意味する。ステップＳ１０６において読み出された画像が連写画像ではないと判定された場合には、通常の画像表示と同様に、表示装置１７に画像を表示する（Ｓ１０３）。
【００４９】
測定部１０６は、ステップＳ１０７において展開された後に分割された画像の彩度、色相等を取得して色味情報を算出する（Ｓ１０８）。また、表示装置１７に表示されている画像も同様に分割して、当該分割画像の彩度、色相等を取得して色味情報を算出する。測定部１０６は、ステップＳ１０８において算出した表示画像の色味情報と読み出した画像の色味情報とを比較して類似度を算出する（Ｓ１０９）。
【００５０】
ステップＳ１０９において算出される類似度は、上記したように、画像の差分である。すなわち、画像の差分が所定基準より大きい場合には２つの画像は類似していないといえる。また、画像の差分が所定基準より小さい場合には２つの画像は類似しているといえる。ステップＳ１１９において算出された類似度に基づいて、２つの画像が類似しているか否かを判定する（Ｓ１１０）。
【００５１】
ステップＳ１１０において２つの画像が類似していると判定された場合には、次の画像を読み出して（Ｓ１０５）、ステップＳ１０６〜ステップＳ１１０の処理を繰り返す。また、ステップＳ１１０において２つの画像が類似していないと判定された場合には、読み出した画像を表示装置１７に表示する（Ｓ１０３）。すなわち、表示装置１７に表示されていた画像に代えて新たに読み出された画像が表示装置１７に表示される。
【００５２】
ステップＳ１０４において、ステップＳ１０３において表示された画像が最後の画像であると判定された場合には、スライドショーを終了する。以上、表示制御装置１００のスライドショーにおける表示制御方法について説明した。
【００５３】
以上、本実施形態にかかる表示制御装置１００によれば、順次に読み込んだ複数の静止画像が連写画像であるか否かを判断し、複数の連写画像が含まれていると判断した場合に複数の連続する連写画像の差分を測定する。そして、測定された連写画像の差分に応じて、複数の連続する連写画像から１又は２以上の連写画像を選択し、選択した連写画像を表示装置に表示する。
【００５４】
これにより、連写画像のうち変化のある画像のみを再生して画像閲覧効果を高めることができる。すなわち、選択された連写画像のみ表示装置１７に表示させることにより、似たような変化のない画像ばかりを表示することなく、ユーザが飽きることなくスライドショーを楽しんで閲覧することが可能となる。
【００５５】
また、サムネイルやスクラップブック等複数の画像を表示させる場合にも、類似度の少ない変化のある画像を表示させることができるため、画像閲覧効果を高めることが可能となる。また、連写撮影により撮影された連写画像のすべてを表示する必要がないため、すべての画像を表示する場合に比べて省メモリでかつ高速に処理することが可能となる。
【００５６】
例えば、風景などを連写した場合には、変化の少ない、すなわち類似度の高い画像が多くなり、スライドショーにおいては、風景画像は数枚程度表示されることとなる。また、ミルク・クラウン等を連写した場合には、変化の大きい、すなわち類似度の低い画像が多くなるため、多くの画像表示が表示される。これにより、変化のある画像のみを再生閲覧できるため、ユーザが飽きることなく、スライドショーの楽しみが損なわれない。
【００５７】
また、連続撮影による連写画像だけでなく、例えば、結婚式や披露宴などの似たような写真が多く撮影された場合のスライドショーにも同様の効果を得ることができる。また、上記したように、スライドショーだけでなく、通常の再生時や複数枚を一度に表示するスクラップブック再生にも適用することが可能である。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５９】
例えば、上記実施形態では、表示装置１７に表示する都度、表示されている画像と読み出された画像の差分を測定していたが、本発明はかかる例に限定されない。例えば、表示装置１７に表示する前に、事前に選択部１０８により選択された画像に表示フラグを付加するようにしてもよい。例えば、あらかじめ上記したＥＸＩＦファイルに含まれる画像についての情報に表示フラグを設定し、表示制御部１１０は表示フラグが設定された画像のみ表示装置１７に表示するようにしてもよい。
【図面の簡単な説明】
【００６０】
【図１】本発明の一実施形態にかかるデジタルカメラの外観を示す斜視図である。
【図２】同実施形態にかかるデジタルカメラの構成を示すブロック図である。
【図３】同実施形態にかかるデジタルカメラのＣＰＵの機能構成を詳細に示した機能構成図である。
【図４】同実施形態にかかる連写画像の差分の測定について説明した説明図である。
【図５】同実施形態にかかる差分の所定基準を設定するためのユーザ入力ボタンを説明する説明図である。
【図６】同実施形態にかかるスライドショーにおける表示制御方法を示すフローチャートである。
【符号の説明】
【００６１】
１        デジタルカメラ
１１      レンズ部
１２      ＣＣＤ
１３      アナログ信号処理部
１４      Ａ／Ｄ変換部
１５      デジタル信号処理部
１６      タッチパネル
１７      液晶パネル（表示装置）
１８      タッチスクリーン
１９      記録デバイス
２０      アクチュエータ
２１      モータドライブ
２２      ＴＧ
２３      ＣＰＵ
２４      操作部
２５      ＥＥＰＥＯＭ
２６      プログラムＲＯＭ
２７      ＲＡＭ
１００    表示制御装置
１０２    読み込み部
１０４    判断部
１０６    測定部
１０８    選択部
１１０    表示制御部
【図１】
0005167964.tif 000002
【図２】
0005167964.tif 000003
【図３】
0005167964.tif 000004
【図４】
0005167964.tif 000005
【図５】
0005167964.tif 000006
【図６】
0005167964.tif 000007